(57)【要約】【課題】流体の増熱と最大限連続的な冷房とを両立することが可能な吸着増熱兼冷房装置を提供することを目的とする。【解決手段】切替装置３０は、吸着工程では、蒸発／凝縮器１８、室内熱交換器２２、吸着器１６の順に流体を流通させ、脱離工程では、室内熱交換器２２、蒸発／凝縮器１８の順に流体を流通させると共に吸着器１６を迂回させてその流体を流す。そして、室内熱交換器２２は、流体と室内へ供給される空気との熱交換により、流体に吸熱させてその空気を冷却する。これにより、吸着工程では吸着器１６において吸着熱を流体に吸熱させ、脱離工程では蒸発／凝縮器１８において凝縮熱を流体に吸熱させることができる。そして、吸着工程および脱離工程の何れでも、室内へ供給される空気を室内熱交換器２２で流体によって冷却することができる。従って、流体の増熱と最大限連続的な冷房とを両立することが可能である。【選択図】図１
2017146048.tif 000002
【特許請求の範囲】
【請求項１】
吸着剤（１６３）に冷媒を吸着させる吸着工程と該吸着剤から該冷媒を脱離させる脱離工程とを交互に繰り返す吸着増熱兼冷房装置であって、
前記吸着剤を有する吸着器（１６）と、
前記冷媒と流体との熱交換により、前記吸着工程では前記冷媒を蒸発させ前記脱離工程では前記冷媒を凝縮させる蒸発／凝縮器（１８）と、
空気と前記流体との熱交換により前記流体に吸熱させて前記空気を冷却する室内熱交換器（２２）と、
前記室内熱交換器へ前記空気を流すと共に該室内熱交換器により冷却された前記空気を室内へ供給する送風機（２４）と、
切替装置（３０）とを備え、
前記切替装置は、前記吸着工程では、前記蒸発／凝縮器、前記室内熱交換器、前記吸着器の順に前記流体を流通させ、前記脱離工程では、前記室内熱交換器、前記蒸発／凝縮器の順に前記流体を流通させると共に前記吸着器を迂回させて前記流体を流し、
前記吸着器は、前記吸着工程では前記吸着剤と前記流体との熱交換により該流体に吸熱させ、前記脱離工程では前記吸着剤を加熱する吸着増熱兼冷房装置。
【請求項２】
前記吸着器または前記蒸発／凝縮器で吸熱した前記流体を貯める蓄熱タンク（３４）を備えている請求項１に記載の吸着増熱兼冷房装置。
【請求項３】
前記流体から放熱させる放熱器（３６）を備え、
該放熱器は、前記吸着工程および前記脱離工程の何れでも前記流体の流通経路において前記室内熱交換器よりも上流側に配置されるように設けられている請求項１または２に記載の吸着増熱兼冷房装置。
【請求項４】
前記流体の冷熱を蓄えるバッファタンク（４０）を備え、
該バッファタンクは、前記吸着工程と前記脱離工程との何れでも前記流体が該バッファタンクを介して前記室内熱交換器へ流入するように該室内熱交換器に接続されている請求項１ないし３のいずれか１つに記載の吸着増熱兼冷房装置。
【発明の詳細な説明】
【技術分野】
【０００１】
本発明は、冷媒を吸着し脱離する吸着剤を有して熱を回収する吸着式ヒートポンプを備えた吸着増熱兼冷房装置に関するものである。
【背景技術】
【０００２】
この種の吸着増熱兼冷房装置に関連する装置として、例えば特許文献１に記載された吸着式増熱装置が従来から知られている。この特許文献１に記載された吸着式増熱装置は、吸着コアと蒸発／凝縮コアとを含む１台の吸着装置で凝縮熱および吸着熱を流体の加熱に利用するものである。この吸着式増熱装置では、脱離工程時には流体は蒸発／凝縮コアを通過する際に凝縮熱で温められ、その温められた流体はサブタンクに保管される。また、吸着工程時には、そのサブタンクに保管された流体が吸着コアを通過する際に吸着熱で更に加熱される。特許文献１の吸着式増熱装置では、その脱離工程と吸着工程とが繰り返される毎に流体が増熱される。
【０００３】
また、特許文献１の吸着式増熱装置は、空気と流体とを熱交換させる熱交換器を備えている。その熱交換器は、脱離工程時には流体の流通経路から切り離され、吸着工程時には空気から流体に吸熱させてその空気を冷却する。
【先行技術文献】
【特許文献】
【０００４】
【特許文献１】特開２００６−２０７９６７号公報
【発明の概要】
【発明が解決しようとする課題】
【０００５】
上述した特許文献１の吸着式増熱装置は、流体を増熱させることを主目的としている。また、上記熱交換器を空気の冷却（すなわち、冷房）に利用しようとした場合、上述したように、その熱交換器は、脱離工程時には、流体の流通経路から切り離される。そのため、流体の増熱に加え冷房を必要とするシステムに特許文献１の吸着式増熱装置を適用した場合に、冷房を断続的にしか行うことができないという課題があった。
【０００６】
本発明は上記点に鑑みて、流体の増熱と連続的な冷房とを両立することが可能な吸着増熱兼冷房装置を提供することを目的とする。
【課題を解決するための手段】
【０００７】
上記目的を達成するため、請求項１に記載の発明によれば、吸着増熱兼冷房装置は、吸着剤（１６３）に冷媒を吸着させる吸着工程とその吸着剤からその冷媒を脱離させる脱離工程とを交互に繰り返す吸着増熱兼冷房装置であって、
吸着剤を有する吸着器（１６）と、
冷媒と流体との熱交換により、吸着工程では冷媒を蒸発させ脱離工程では冷媒を凝縮させる蒸発／凝縮器（１８）と、
空気と流体との熱交換により流体に吸熱させて空気を冷却する室内熱交換器（２２）と、
室内熱交換器へ空気を流すと共にその室内熱交換器により冷却された空気を室内へ供給する送風機（２４）と、
切替装置（３０）とを備え、
切替装置は、吸着工程では、蒸発／凝縮器、室内熱交換器、吸着器の順に流体を流通させ、脱離工程では、室内熱交換器、蒸発／凝縮器の順に流体を流通させると共に吸着器を迂回させて流体を流し、
吸着器は、吸着工程では吸着剤と流体との熱交換によりその流体に吸熱させ、脱離工程では吸着剤を加熱する。
【０００８】
これにより、吸着工程では吸着器において吸着熱を流体に吸熱させ、脱離工程では蒸発／凝縮器において凝縮熱を流体に吸熱させることができる。そして、吸着工程および脱離工程の何れでも、室内へ供給される空気を室内熱交換器で流体によって冷却することができる。従って、冷房が吸着工程と脱離工程との切替えに伴って断続的になることを回避し、流体の増熱と連続的な冷房とを両立することが可能である。
【０００９】
なお、特許請求の範囲およびこの欄で記載した括弧内の各符号は、後述する実施形態に記載の具体的内容との対応関係を示す一例である。
【図面の簡単な説明】
【００１０】
【図１】第１実施形態の吸着増熱兼冷房装置の概略構成を示した模式図であって、その吸着増熱兼冷房装置の吸着工程における状態を示した図である。
【図２】第１実施形態の吸着増熱兼冷房装置の概略構成を示した模式図であって、その吸着増熱兼冷房装置の脱離工程における状態を示した図である。
【図３】第２実施形態の吸着増熱兼冷房装置の概略構成を示した模式図であって、その吸着増熱兼冷房装置の吸着工程と脱離工程とのうち脱離工程における状態を示している。
【図４Ａ】第１切替弁が２つの三方弁から構成されている構成例において、その第１切替弁の弁位置が吸着工程位置にされた状態を示した図である。
【図４Ｂ】図４Ａと同じ第１切替弁の構成例において、その第１切替弁の弁位置が脱離工程位置にされた状態を示した図である。
【発明を実施するための形態】
【００１１】
以下、図面を参照しながら、本発明を実施するための形態を説明する。なお、以下の各実施形態相互において、互いに同一もしくは均等である部分には、図中、同一符号を付してある。
【００１２】
（第１実施形態）
本実施形態の吸着増熱兼冷房装置１０は、吸着剤１６３に冷媒を吸着させる吸着工程と、その吸着剤１６３から冷媒を脱離させる脱離工程とを交互に繰り返し、それにより、流体を加熱すると共に、冷房対象空間としての室内を冷房する。図１および図２は、本実施形態の吸着増熱兼冷房装置１０の概略構成を示した模式図である。また、図１は、吸着増熱兼冷房装置１０の吸着工程における状態を示し、図２は、吸着増熱兼冷房装置１０の脱離工程における状態を示している。
【００１３】
図１および図２に示すように、吸着増熱兼冷房装置１０は、流体ポンプ１４と吸着器１６と蒸発／凝縮器１８と密閉容器２０と室内熱交換器２２と送風機２４と熱源２６と温水ポンプ２８と切替装置３０とを備えている。
【００１４】
流体ポンプ１４は、吸込口１４１と吐出口１４２とを有している。流体ポンプ１４の吸込口１４１は、流体を供給する流体供給源１２の流体供給口１２１に接続されている。流体ポンプ１４は、流体供給源１２から供給される流体を吸込口１４１から吸い込むと共に、その吸い込んだ流体を吐出口１４２から吐出する。流体ポンプ１４は、例えば吸着工程および脱離工程の何れでも作動している。
【００１５】
その流体供給源１２が供給する流体は例えば水であり、詳細には、冷房対象空間としての室内の温度と比較して十分に低温にされた冷水（言い換えれば、冷却水）である。
【００１６】
吸着器１６および蒸発／凝縮器１８は密閉容器２０内に収容されている。その吸着器１６と蒸発／凝縮器１８とが収容された密閉容器２０の内部空間２０ａは、密閉された空間である。そして、その内部空間２０ａには冷媒が封入されており、その内部空間２０ａは常に気相または液相の冷媒で満たされている。その冷媒は例えば水である。
【００１７】
吸着器１６は、冷媒を吸着し脱離する吸着剤１６３と熱交換部とを有している。また、吸着器１６は流体入口１６１と流体出口１６２とを有し、その流体入口１６１から熱交換部内へ流入した流体は熱交換部内を流通し、流体出口１６２から吸着器１６外へ流出する。また、吸着器１６では、吸着剤１６３が熱交換部の外表面に取り付けられており、吸着剤１６３は、熱交換部内を流通する流体と熱交換させられる。その吸着剤１６３は例えばシリカゲルである。
【００１８】
蒸発／凝縮器１８は、流体入口１８１と流体出口１８２とを有している。蒸発／凝縮器１８は、その流体入口１８１から流入した流体を冷媒と熱交換させ、その熱交換後の流体を流体出口１８２から蒸発／凝縮器１８外へ流出する。
【００１９】
室内熱交換器２２は、流体入口２２１と流体出口２２２とを有している。室内熱交換器２２は、その流体入口２２１から流入した流体を空気と熱交換させ、その熱交換により、流体に吸熱させて空気を冷却する。そして、室内熱交換器２２は、その熱交換後の流体を流体出口２２２から室内熱交換器２２外へ流出する。
【００２０】
送風機２４は例えば電動の送風装置である。送風機２４は、室内熱交換器２２へ空気を流すと共に、その室内熱交換器２２により冷却された空気を上記室内へ供給する。例えば、送風機２４によって生じる空気流れにおいて、室内熱交換器２２は、その室内に対し上流側に配置されている。
【００２１】
熱源２６は、吸着器１６の吸着剤１６３を加熱するための加熱用媒体として温水を供給する。熱源２６は、例えば燃焼器を含んで構成された温水ボイラである。熱源２６は、温水供給口２６１と温水戻り口２６２とを有している。熱源２６は、その温水戻り口２６２から受け入れた温水を加熱し、加熱後の温水を温水供給口２６１から流出させる。その温水供給口２６１から流出する温水すなわち熱源２６によって供給される温水は、例えば、脱離工程において吸着剤１６３から冷媒を脱離させるのに十分な温度にまで温められている。
【００２２】
温水ポンプ２８は、吸込口２８１と吐出口２８２とを有している。温水ポンプ２８の吸込口２８１は、熱源２６の温水供給口２６１に接続されている。温水ポンプ２８は、熱源２６から供給される温水を吸込口２８１から吸い込むと共に、その吸い込んだ温水を吐出口２８２から吐出する。温水ポンプ２８は、例えば吸着工程および脱離工程の何れでも作動している。
【００２３】
切替装置３０は、吸着工程と脱離工程との間で、流体供給源１２から供給される流体の流通経路を切り替えると共に、それと連動して、熱源２６から供給される温水の流通経路も切り替える流通経路切替装置である。具体的に切替装置３０は、第１切替弁３０１と第２切替弁３０２と第３切替弁３０３と第４切替弁３０４とを有している。
【００２４】
これらの各切替弁３０１、３０２、３０３、３０４は例えば電動式の方向制御弁である。本実施形態では、各切替弁３０１、３０２、３０３、３０４は何れも四方弁である。すなわち、第１切替弁３０１は第１〜４ポート３０１ａ〜３０１ｄを有している。そして、第２切替弁３０２も第１〜４ポート３０２ａ〜３０２ｄを有し、第３切替弁３０３も第１〜４ポート３０３ａ〜３０３ｄを有し、第４切替弁３０４も第１〜４ポート３０４ａ〜３０４ｄを有している。
【００２５】
第１切替弁３０１の第１ポート３０１ａは流体ポンプ１４の吐出口１４２へ接続され、第１切替弁３０１の第２ポート３０１ｂは蒸発／凝縮器１８の流体入口１８１へ接続されている。第１切替弁３０１の第３ポート３０１ｃは第２切替弁３０２の第２ポート３０２ｂへ接続され、第１切替弁３０１の第４ポート３０１ｄは室内熱交換器２２の流体入口２２１へ接続されている。
【００２６】
また、第２切替弁３０２の第１ポート３０２ａは蒸発／凝縮器１８の流体出口１８２へ接続されている。第２切替弁３０２の第３ポート３０２ｃは室内熱交換器２２の流体出口２２２へ接続され、第２切替弁３０２の第４ポート３０２ｄは第３切替弁３０３の第１ポート３０３ａへ接続されている。
【００２７】
また、第３切替弁３０３の第２ポート３０３ｂは吸着器１６の流体入口１６１へ接続されている。第３切替弁３０３の第３ポート３０３ｃは温水ポンプ２８の吐出口２８２へ接続され、第３切替弁３０３の第４ポート３０３ｄは第４切替弁３０４の第３ポート３０４ｃへ接続されている。
【００２８】
また、第４切替弁３０４の第１ポート３０４ａは吸着器１６の流体出口１６２へ接続され、第４切替弁３０４の第２ポート３０４ｂは、吸着増熱兼冷房装置１０の外部にある流体供給先へ接続されている。その流体供給先とは例えば給湯設備である。第４切替弁３０４の第４ポート３０４ｄは熱源２６の温水戻り口２６２へ接続されている。
【００２９】
吸着増熱兼冷房装置１０は不図示の電子制御装置を備えており、その電子制御装置は、上述した流体ポンプ１４、送風機２４、温水ポンプ２８、および切替装置３０の各作動を制御する。
【００３０】
このように構成された吸着増熱兼冷房装置１０では、上述のように吸着工程と脱離工程とが交互に繰り返される。例えば、その吸着工程と脱離工程との切替えは、経過時間、吸着器１６の流体出口１６２における流体の温度、または、蒸発／凝縮器１８の流体出口１８２における流体の温度等に基づいて行われる。
【００３１】
なお、図１および図２では、流体供給源１２から供給される流体の流通経路は太い実線で示され、その太い実線と合体した矢印は、その流通経路における流体の流れ方向を示している。また、熱源２６から供給される温水の流通経路は太い破線で示され、その太い破線と合体した矢印は、その流通経路における温水の流れ方向を示している。
【００３２】
先ず、吸着増熱兼冷房装置１０の吸着工程について説明する。第１〜４切替弁３０１、３０２、３０３、３０４はそれぞれ、弁位置が後述の吸着工程位置と脱離工程位置とへ択一的に切替可能な構成となっている。この吸着工程では、第１〜４切替弁３０１、３０２、３０３、３０４の弁位置はそれぞれ吸着工程位置に切り替えられる。要するに、切替装置３０が吸着工程位置に切り替えられる。
【００３３】
詳細に言うと図１に示すように、第１切替弁３０１は、その弁位置が吸着工程位置にされると、第１ポート３０１ａを第２ポート３０１ｂへ連通させると共に、第３ポート３０１ｃを第４ポート３０１ｄへ連通させる。また、第２切替弁３０２は、その弁位置が吸着工程位置にされると、第１ポート３０２ａを第２ポート３０２ｂへ連通させると共に、第３ポート３０２ｃを第４ポート３０２ｄへ連通させる。
【００３４】
また、第３切替弁３０３は、その弁位置が吸着工程位置にされると、第１ポート３０３ａを第２ポート３０３ｂへ連通させると共に、第３ポート３０３ｃを第４ポート３０３ｄへ連通させる。また、第４切替弁３０４は、その弁位置が吸着工程位置にされると、第１ポート３０４ａを第２ポート３０４ｂへ連通させると共に、第３ポート３０４ｃを第４ポート３０４ｄへ連通させる。
【００３５】
これにより、吸着工程では、切替装置３０は、流体供給源１２から供給される流体を、蒸発／凝縮器１８、室内熱交換器２２、吸着器１６の順に流通させる。それと共に、切替装置３０は、吸着器１６を迂回させて熱源２６からの温水を循環させる。
【００３６】
そのため、蒸発／凝縮器１８は、冷媒と流体との熱交換により、その冷媒を蒸発させると共に流体を冷却する。
【００３７】
そして、室内熱交換器２２は、その蒸発／凝縮器１８によって冷却された流体と空気とを熱交換させ、送風機２４は、その熱交換より冷却された空気である冷風を室内へと送る。その室内熱交換器２２によって吸熱させられた流体は吸着器１６に供給される。その吸着器１６は、吸着剤１６３と流体との熱交換により、その流体に吸熱させて吸着剤１６３を冷却する。すなわち、吸着器１６は、吸着剤１６３が冷媒を吸着することに伴う吸着熱を流体へ吸熱させることで回収する。
【００３８】
このようにして、吸着増熱兼冷房装置１０は、吸着工程において、室内へ送風される空気の冷却すなわち冷房を室内熱交換器２２によって行いつつ、吸着器１６で吸着熱を回収することによって流体を加熱することができる。
【００３９】
なお、吸着工程では、蒸発／凝縮器１８にて蒸発した冷媒が吸着器１６にて吸着剤１６３へ吸着されるので、密閉容器２０内では、冷媒は矢印ＦＬａのように蒸発／凝縮器１８から吸着器１６へと流れる。
【００４０】
次に、吸着増熱兼冷房装置１０の脱離工程について説明する。この脱離工程では、第１〜４切替弁３０１、３０２、３０３、３０４の弁位置はそれぞれ脱離工程位置に切り替えられる。要するに、切替装置３０が脱離工程位置に切り替えられる。
【００４１】
詳細に言うと図２に示すように、第１切替弁３０１は、その弁位置が脱離工程位置にされると、第１ポート３０１ａを第４ポート３０１ｄへ連通させると共に、第３ポート３０１ｃを第２ポート３０１ｂへ連通させる。また、第２切替弁３０２は、その弁位置が脱離工程位置にされると、第１ポート３０２ａを第４ポート３０２ｄへ連通させると共に、第３ポート３０２ｃを第２ポート３０２ｂへ連通させる。
【００４２】
また、第３切替弁３０３は、その弁位置が脱離工程位置にされると、第１ポート３０３ａを第４ポート３０３ｄへ連通させると共に、第３ポート３０３ｃを第２ポート３０３ｂへ連通させる。また、第４切替弁３０４は、その弁位置が脱離工程位置にされると、第１ポート３０４ａを第４ポート３０４ｄへ連通させると共に、第３ポート３０４ｃを第２ポート３０４ｂへ連通させる。
【００４３】
これにより、脱離工程では、切替装置３０は、流体供給源１２から供給される流体を、室内熱交換器２２、蒸発／凝縮器１８の順に流通させる。それと共に、切替装置３０は、吸着器１６を迂回（すなわち、バイパス）させてその流体を流体供給先へ流し、その一方で、熱源２６からの温水を吸着器１６へ供給する。
【００４４】
従って、流体供給源１２から供給される冷却水としての流体は先ず室内熱交換器２２へ供給される。そのため、室内熱交換器２２は、その流体と空気とを熱交換させ、送風機２４は、その熱交換より冷却された空気である冷風を室内へと送る。
【００４５】
そして、蒸発／凝縮器１８は、冷媒と流体との熱交換により、その冷媒を凝縮させると共に流体を加熱する。すなわち、蒸発／凝縮器１８は、冷媒の凝縮に伴う凝縮熱を流体へ吸熱させることで回収する。
【００４６】
また、吸着器１６には熱源２６からの温水が供給されるので、吸着器１６は、この温水により吸着剤１６３を加熱し、吸着剤１６３から冷媒を脱離させる。
【００４７】
このようにして、吸着増熱兼冷房装置１０は、脱離工程において、室内へ送風される空気の冷却すなわち冷房を室内熱交換器２２によって行いつつ、蒸発／凝縮器１８で凝縮熱を回収することによって流体を加熱することができる。
【００４８】
なお、脱離工程では、上述したように、流体供給源１２からの冷却水がそのまま室内熱交換器２２へ供給される一方で、吸着工程では、その冷却水が蒸発／凝縮器１８で更に冷却されてから室内熱交換器２２へ供給される。そのため、脱離工程で行われる冷房は、吸着工程で行われる冷房と比較すれば弱冷房になる。
【００４９】
また、脱離工程では、吸着器１６にて吸着剤１６３から脱離した冷媒が蒸発／凝縮器１８にて凝縮するので、密閉容器２０内では、冷媒は矢印ＦＬｂのように吸着器１６から蒸発／凝縮器１８へと流れる。
【００５０】
上述したように、本実施形態によれば、図１および図２に示すように、切替装置３０は、吸着工程では、蒸発／凝縮器１８、室内熱交換器２２、吸着器１６の順に流体を流通させ、脱離工程では、室内熱交換器２２、蒸発／凝縮器１８の順に流体を流通させると共に吸着器１６を迂回させてその流体を流す。そして、室内熱交換器２２は、流体と室内へ供給される空気との熱交換により、流体に吸熱させてその空気を冷却する。
【００５１】
これにより、吸着工程では吸着器１６において吸着熱を流体に吸熱させ、脱離工程では蒸発／凝縮器１８において凝縮熱を流体に吸熱させることができる。そして、吸着工程および脱離工程の何れでも、室内へ供給される空気を室内熱交換器２２で流体によって冷却することができる。つまり、脱離工程において蒸発／凝縮器１８で加熱された後の流体によって室内熱交換器２２から温風が吹き出されるということがない。
【００５２】
従って、冷房が吸着工程と脱離工程との切替えに伴って断続的になることを回避し、流体の増熱と最大限連続的な冷房とを両立することが可能である。
【００５３】
ここで、特許文献１の吸着式増熱装置では、空気と流体とを熱交換させる熱交換器は、吸着工程においてバルブが閉じられることによって、吸着コアおよびサブタンクから独立した閉回路の構成を取る。そのため、その閉回路を作るためのバルブが必要になり、流体の経路毎に個別にポンプが必要になる。すなわち、特許文献１の吸着式増熱装置では、バルブやポンプなどの部品点数が増えるという問題がある。
【００５４】
これに対し、本実施形態によれば、室内熱交換器２２は、吸着工程および脱離工程の何れでも、流体供給源１２から流体供給先へ至る流体の経路から分離されない。従って、吸着増熱兼冷房装置１０に含まれる部品点数の削減を図りやすい。その部品点数の削減は例えば、吸着増熱兼冷房装置１０の低コスト化につながる。
【００５５】
（第２実施形態）
次に、第２実施形態について説明する。本実施形態では、前述の第１実施形態と異なる点を主として説明する。また、前述の実施形態と同一または均等な部分については省略または簡略化して説明する。
【００５６】
図３は、本実施形態の吸着増熱兼冷房装置１０の概略構成を示した模式図である。そして、図３は、吸着増熱兼冷房装置１０の吸着工程と脱離工程とのうち脱離工程における状態を示している。
【００５７】
この図３に示すように、吸着増熱兼冷房装置１０は、第１実施形態で説明した構成に加えて、蓄熱タンク３４と室外放熱器３６と室外器用送風機３８とバッファタンク４０と内部熱交換器４２とを備えている。本実施形態では、蓄熱タンク３４、室外放熱器３６、および室外器用送風機３８は屋外に設置される。その一方で、流体ポンプ１４、吸着器１６、蒸発／凝縮器１８、密閉容器２０、室内熱交換器２２、送風機２４、熱源２６、温水ポンプ２８、切替装置３０、バッファタンク４０、および内部熱交換器４２は屋内に設置される。
【００５８】
本実施形態の蓄熱タンク３４は、流体を貯めるタンクであり、第１実施形態の流体供給源１２に替わるものである。すなわち、本実施形態では、蓄熱タンク３４は流体供給源としての役割を果たす。
【００５９】
蓄熱タンク３４は、例えば蓄熱タンク３４内に貯まった流体を保温するために断熱性の高い部材で構成されている。この蓄熱タンク３４に貯まった例えば温水としての流体は給湯設備等へ供給されてもよい。
【００６０】
蓄熱タンク３４は、流体供給口３４１と流体戻り口３４２とを有している。蓄熱タンク３４は、流体戻り口３４２から流入する流体を蓄熱タンク３４内に貯め、蓄熱タンク３４内の流体を流体供給口３４１から流出させる。蓄熱タンク３４内に貯まった流体は蓄熱タンク３４内において底側ほど低温になっており、できるだけ低温の流体を流出させるために、流体供給口３４１は、蓄熱タンク３４内の底部から流体を流出させるように配置されている。その流体供給口３４１は流体ポンプ１４の吸込口１４１へ接続されている。
【００６１】
室外器用送風機３８は例えば電動の送風装置である。室外器用送風機３８は、室外放熱器３６へ屋外の空気（すなわち、外気）を矢印ＡＲｏのように室外放熱器３６へ流す。
【００６２】
室外放熱器３６は、流体入口３６１と流体出口３６２とを有している。室外放熱器３６は、流体から放熱させる放熱器である。すなわち、室外放熱器３６は、流体入口３６１から流入した流体を外気と熱交換させ、その熱交換により、流体から放熱させる。そして、室外放熱器３６は、その熱交換後の流体を流体出口３６２から室外放熱器３６外へ流出する。
【００６３】
この室外放熱器３６は、流体の流通経路において、流体ポンプ１４の吐出口１４２と第１切替弁３０１の第１ポート３０１ａとの間に設けられている。すなわち、室外放熱器３６の流体入口３６１は流体ポンプ１４の吐出口１４２に接続され、室外放熱器３６の流体出口３６２は第１切替弁３０１の第１ポート３０１ａに接続されている。従って、室外放熱器３６は、吸着工程および脱離工程の何れでも、流体の流通経路において室内熱交換器２２よりも上流側に配置されるように設けられている。
【００６４】
バッファタンク４０は、流体の冷熱を蓄えるタンクである。このバッファタンク４０は、室内熱交換器２２から室内へ向けて吹き出される空気の温度すなわち冷房温度を均一化する目的で設けられている。
【００６５】
バッファタンク４０の構造は、例えば蓄冷材を有しその蓄冷材により流体の冷熱を蓄える構造であってもよいし、高い断熱性を備えたタンクに流体を貯める構造であってもよい。
【００６６】
バッファタンク４０は流体入口４０１と流体出口４０２とを有し、その流体入口４０１から流体を受け入れ、流体出口４０２からバッファタンク４０外へ流体を流出する。
【００６７】
バッファタンク４０は、吸着工程と脱離工程との何れでも流体がバッファタンク４０を介して室内熱交換器２２へ流入するように、その室内熱交換器２２に接続されている。具体的には、バッファタンク４０は、流体の流通経路において、第１切替弁３０１の第４ポート３０１ｄと室内熱交換器２２の流体入口２２１との間に設けられている。すなわち、バッファタンク４０の流体入口４０１は第１切替弁３０１の第４ポート３０１ｄに接続され、バッファタンク４０の流体出口４０２は室内熱交換器２２の流体入口２２１に接続されている。
【００６８】
内部熱交換器４２は、蓄熱タンク３４から供給される流体が流通する第１熱交換部４２１と、熱源２６から供給される温水が流通する第２熱交換部４２２とを備えている。そして、内部熱交換器４２は、第１熱交換部４２１内の流体と第２熱交換部４２２内の温水とを熱交換させる。具体的には、吸着工程および脱離工程の何れでも、第１熱交換部４２１内の流体は第２熱交換部４２２内の温水よりも低温であるので、内部熱交換器４２は、その温水の熱で流体を加熱する。
【００６９】
詳細には、内部熱交換器４２の第１熱交換部４２１は流体入口４２１ａと流体出口４２１ｂとを有し、その流体入口４２１ａから流体を受け入れ、流体出口４２１ｂから第１熱交換部４２１外へ流体を流出する。そして、その第１熱交換部４２１は、流体の流通経路において、第４切替弁３０４の第２ポート３０４ｂと蓄熱タンク３４の流体戻り口３４２との間に設けられている。すなわち、第１熱交換部４２１の流体入口４２１ａは第４切替弁３０４の第２ポート３０４ｂに接続され、第１熱交換部４２１の流体出口４２１ｂは蓄熱タンク３４の流体戻り口３４２に接続されている。
【００７０】
また、内部熱交換器４２の第２熱交換部４２２は温水入口４２２ａと温水出口４２２ｂとを有し、その温水入口４２２ａから温水を受け入れ、温水出口４２２ｂから第２熱交換部４２２外へ温水を流出する。そして、その第２熱交換部４２２は温水の流通経路において、第４切替弁３０４の第４ポート３０４ｄと温水ポンプ２８の吸込口２８１との間に設けられている。すなわち、第２熱交換部４２２の温水入口４２２ａは第４切替弁３０４の第４ポート３０４ｄに接続され、第２熱交換部４２２の温水出口４２２ｂは温水ポンプ２８の吸込口２８１に接続されている。
【００７１】
なお、本実施形態では、熱源２６の温水供給口２６１は第３切替弁３０３の第３ポート３０３ｃに接続され、熱源２６の温水戻り口２６２は温水ポンプ２８の吐出口２８２に接続されている。
【００７２】
本実施形態でも第１実施形態と同様に、吸着増熱兼冷房装置１０の吸着工程では、第１〜４切替弁３０１、３０２、３０３、３０４の弁位置はそれぞれ吸着工程位置に切り替えられる。その一方で、吸着増熱兼冷房装置１０の脱離工程では、第１〜４切替弁３０１、３０２、３０３、３０４の弁位置はそれぞれ脱離工程位置に切り替えられる。
【００７３】
すなわち、吸着工程では、切替装置３０は、蓄熱タンク３４から供給され室外放熱器３６で放熱した後の流体を、蒸発／凝縮器１８、バッファタンク４０、室内熱交換器２２、吸着器１６の順に流通させる。その吸着器１６から流出した流体は内部熱交換器４２の第１熱交換部４２１を経てから蓄熱タンク３４へ戻る。それと共に吸着工程では、切替装置３０は、吸着器１６を迂回させて熱源２６からの温水を循環させる。
【００７４】
従って、吸着工程では、室外放熱器３６は、蓄熱タンク３４から供給される流体が蒸発／凝縮器１８で冷却される前にその流体から放熱させる。そして、蓄熱タンク３４は、吸着器１６で吸着熱を吸熱し且つ内部熱交換器４２にて熱源２６の温水と熱交換した後の流体を貯めることとなる。
【００７５】
一方、脱離工程では、切替装置３０は、蓄熱タンク３４から供給され室外放熱器３６で放熱した後の流体を、バッファタンク４０、室内熱交換器２２、蒸発／凝縮器１８の順に流通させる。それと共に、切替装置３０は、吸着器１６を迂回させてその流体を流し、その一方で、熱源２６からの温水を吸着器１６へ供給する。その吸着器１６を迂回した流体は、内部熱交換器４２の第１熱交換部４２１を経てから蓄熱タンク３４へ戻る。
【００７６】
従って、脱離工程では、室外放熱器３６は、蓄熱タンク３４から供給される流体が室内熱交換器２２で吸熱する前にその流体から放熱させる。そして、蓄熱タンク３４は、蒸発／凝縮器１８で凝縮熱を吸熱し且つ内部熱交換器４２にて熱源２６の温水と熱交換した後の流体を貯めることとなる。
【００７７】
本実施形態では、前述の第１実施形態と共通の構成から奏される効果を第１実施形態と同様に得ることができる。
【００７８】
また、本実施形態によれば、蓄熱タンク３４は、吸着器１６または蒸発／凝縮器１８で吸熱し且つ内部熱交換器４２にて熱源２６の温水と熱交換した流体を貯める。従って、増熱された流体を蓄熱タンク３４に貯めて利用することが可能である。
【００７９】
また、本実施形態によれば、室外放熱器３６は、吸着工程および脱離工程の何れでも流体の流通経路において室内熱交換器２２よりも上流側に配置されるように設けられている。従って、室外放熱器３６が設けられていない場合と比較して、室内熱交換器２２で冷房に供される流体としての冷却水を、より冷やすことが可能である。
【００８０】
また、本実施形態によれば、流体の冷熱を蓄えるバッファタンク４０は、吸着工程と脱離工程との何れでも流体がバッファタンク４０を介して室内熱交換器２２へ流入するように、その室内熱交換器２２に接続されている。従って、吸着工程で蒸発／凝縮器１８から流体へ供給される冷熱をバッファタンク４０に蓄冷しておき、脱離工程でそれを放冷することが可能である。これにより、室内熱交換器２２から吹き出される空気の吹出温度すなわち冷房温度を、吸着工程と脱離工程との間において均一化することができる。
【００８１】
（他の実施形態）
（１）上述の各実施形態において、熱源２６は、例えば燃焼器を含んで構成された温水ボイラであるが、それに限らず、電気ヒータ等であっても差し支えない。
【００８２】
（２）上述の各実施形態において、第１切替弁３０１は四方弁であるが、それに限らず、例えば図４Ａおよび図４Ｂに示すように２つの三方弁３１１、３１２から構成されていても差し支えない。このことは、第２〜４切替弁３０２、３０３、３０４に関しても同様である。
【００８３】
図４Ａは、２つの三方弁３１１、３１２から構成された第１切替弁３０１の弁位置が吸着工程位置にされた状態を示し、図４Ｂは、その第１切替弁３０１の弁位置が脱離工程位置にされた状態を示している。図４Ａに示すように、その吸着工程位置では、２つの三方弁３１１、３１２のうちの一方の三方弁３１１は、第１ポート３０１ａを第２ポート３０１ｂへ連通させると共に、第１ポート３０１ａと第４ポート３０１ｄとの間を遮断する。そして、２つの三方弁３１１、３１２のうちの他方の三方弁３１２は、第３ポート３０１ｃを第４ポート３０１ｄへ連通させると共に、第３ポート３０１ｃと第２ポート３０１ｂとの間を遮断する。
【００８４】
また、第１切替弁３０１の脱離工程位置では、図４Ｂに示すように、一方の三方弁３１１は、第１ポート３０１ａを第４ポート３０１ｄへ連通させると共に、第１ポート３０１ａと第２ポート３０１ｂとの間を遮断する。そして、他方の三方弁３１２は、第３ポート３０１ｃを第２ポート３０１ｂへ連通させると共に、第３ポート３０１ｃと第４ポート３０１ｄとの間を遮断する。
【００８５】
（３）上述の各実施形態において、吸着器１６は、脱離工程では、熱源２６からの温水によって吸着剤１６３を加熱し、それにより吸着剤１６３から冷媒を脱離させる。これに関し、その吸着剤１６３を加熱する手段として温水が用いられる必要はなく、脱離工程において吸着剤１６３から冷媒が脱離すれば、他の手段によって吸着剤１６３が加熱されても差し支えない。
【００８６】
（４）上述の各実施形態において、流体供給源１２が供給する流体は例えば水であり、熱源２６が供給する加熱用媒体は例えば温水である。これらは、互いの温度状態が異なるものの同一の物質である。しかしながら、流体供給源１２からの流体と熱源２６からの加熱用媒体とが同一の物質であるのは、その加熱用媒体が流れる流路が、流体供給源１２からの流体が流れる流路と吸着器１６において共通になっているからである。従って、その加熱用媒体が流れる流路が、流体供給源１２からの流体が流れる流路とは別個に設けられていれば、その流体と加熱用媒体とが同一の物質である必要はない。
【００８７】
（５）上述の各実施形態において、流体ポンプ１４の配置は図１または図３のとおりであるが、流体ポンプ１４は、流体供給源１２から供給される流体を流通させることができれば、どこに配置されても構わない。また、温水ポンプ２８についても同様であり、温水ポンプ２８は、熱源２６から供給される温水を流通させることができれば、どこに配置されても構わない。
【００８８】
なお、本発明は、上述の実施形態に限定されることなく、様々な変形例や均等範囲内の変形をも包含する。また、上記各実施形態において、実施形態を構成する要素は、特に必須であると明示した場合および原理的に明らかに必須であると考えられる場合等を除き、必ずしも必須のものではないことは言うまでもない。
【００８９】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００９０】
（まとめ）
上記各実施形態の一部または全部で示された第１の観点によれば、室内熱交換器は、空気と流体との熱交換により流体に吸熱させてその空気を冷却する。そして、切替装置は、吸着工程では、蒸発／凝縮器、室内熱交換器、吸着器の順に流体を流通させ、脱離工程では、室内熱交換器、蒸発／凝縮器の順に流体を流通させると共に吸着器を迂回させて流体を流す。
【００９１】
また、第２の観点によれば、蓄熱タンクは、吸着器または蒸発／凝縮器で吸熱した流体を貯める。従って、増熱された流体を貯めて利用することが可能である。
【００９２】
また、第３の観点によれば、放熱器は、吸着工程および脱離工程の何れでも流体の流通経路において室内熱交換器よりも上流側に配置されるように設けられている。従って、放熱器が設けられていない場合と比較して、室内熱交換器で冷房に供される流体を、より冷やすことが可能である。
【００９３】
また、第４の観点によれば、流体の冷熱を蓄えるバッファタンクは、吸着工程と脱離工程との何れでも流体がそのバッファタンクを介して室内熱交換器へ流入するように、その室内熱交換器に接続されている。従って、吸着工程で蒸発／凝縮器から流体へ供給される冷熱をバッファタンクに蓄冷しておき、脱離工程でそれを放冷することが可能である。これにより、室内熱交換器から吹き出される空気の吹出温度すなわち冷房温度を、吸着工程と脱離工程との間において均一化することができる。
【符号の説明】
【００９４】
１０        吸着増熱兼冷房装置
１６        吸着器
１８        蒸発／凝縮器
２２        室内熱交換器
２４        送風機
３０        切替装置
１６３      吸着剤
【図１】
2017146048.tif 000003
【図２】
2017146048.tif 000004
【図３】
2017146048.tif 000005
【図４Ａ】
2017146048.tif 000006
【図４Ｂ】
2017146048.tif 000007